【事件の表示】
　特許第５５０７０３６号に関する訂正審判事件について、次のとおり審決する。
【結　論】
　特許第５５０７０３６号に係る明細書、特許請求の範囲を本件審判請求書に添付された訂正明細書、特許請求の範囲のとおり訂正することを認める。
【理　由】
第１　手続の経緯
　本件特許第５５０７０３６号（以下「本件特許」という。）は、平成１９年３月２７日に出願され、平成２６年３月２８日に特許権の設定の登録がなされ、平成２７年９月１８日に本件訂正審判の請求がなされた。
　
第２　審判請求の趣旨
　本件審判請求の趣旨は、本件特許の明細書、特許請求の範囲を本件審判請求書に添付した訂正明細書、特許請求の範囲のとおり一群の請求項ごとに訂正することを認める、との審決を求めるものである。
　
第３　訂正の内容
　本件特許の訂正の内容は、次のとおりである。
　１　訂正事項１（請求項１に係る訂正事項）
　訂正事項１は、請求項１の「該主制御基板からの制御信号に基づき遊技演出を統括制御するサブ制御基板、および　該サブ制御基板からの制御信号に基づき遊技演出を制御する複数の演出制御基板を備え、」との記載を、「該主制御基板からの制御信号に基づき遊技演出を統括制御するサブ制御基板、および　該サブ制御基板から
中継制御基板を経由して出力される
　
　２　訂正事項２（請求項１に係る訂正事項）
　訂正事項２は、請求項１の「ハブ」（２箇所）を、「
集線部
　
　３　訂正事項３（【０００７】に係る訂正事項）
　訂正事項３は、本件特許明細書の【０００７】に「本発明はこのような課題を解決するためになされたもので、遊技動作の内の遊技の進行に関する制御を行う主制御基板、該主制御基板からの制御信号に基づき遊技演出を統括制御するサブ制御基板、および該サブ制御基板からの制御信号に基づき遊技演出を制御する複数の演出制御基板を備え、前記サブ制御基板および前記複数の演出制御基板間を、一対の通信線でシリアル通信を行う標準規格化された通信方式による通信で接続するようにした遊技機であって、前記複数の演出制御基板のうち一の演出制御基板は、複数の前記一対の通信線を集線するハブを有し、前記サブ制御基板と前記複数の演出制御基板のうち他の演出制御基板との間の通信は、前記一の演出制御基板のハブを介して行われることを特徴とする。」とあるのを、「本発明はこのような課題を解決するためになされたもので、遊技動作の内の遊技の進行に関する制御を行う主制御基板、該主制御基板からの制御信号に基づき遊技演出を統括制御するサブ制御基板、および該サブ制御基板から
中継制御基板を経由して出力される
集線部
集線部
　
第４　当審の判断
　１　訂正事項１について
　（１）訂正の目的の適否について
　本件特許明細書には、「図５は、上述したサブ制御基板１００および遊技状態表示基板１４３のより詳細な構成を示すブロック図である。
サブ制御基板１００には遊
サブＣＰＵ８１が搭載されており
遊技状態表示基板１４３
のＵＳＢコーデック８３ｂは、
サブ中継基板１４０を経由し
サブＣＰＵ８１に
接続されている
新しく追加する制御基板が、
音響効果を向上させる制御基板９０である場合について説明したが、
ＬＥＤの発光を制御する発光制御基板や、役物をソレノイドによって駆動する役物駆動ソレノイド制御基板などを追加するようにしてもよい
　
　したがって、訂正事項１は、請求項１における「該主制御基板からの制御信号に基づき遊技演出を統括制御するサブ制御基板、および　該サブ制御基板からの制御信号に基づき遊技演出を制御する複数の演出制御基板を備え、」との記載を、上記記載に基づいて、「該主制御基板からの制御信号に基づき遊技演出を統括制御するサブ制御基板、および　該サブ制御基板から
中継制御基板を経由して出力される
　
　（２）訂正が本件特許明細書、特許請求の範囲又は図面（以下「本件特許明細書等」という。）に記載した事項の範囲内のものであるか否かについて
　上記（１）において検討したように、遊技機がサブ制御基板から中継制御基板を経由して出力される制御信号に基づき遊技演出を制御する複数の演出制御基板を備えることは、本件特許細書等（【００３０】〜【００３１】、【００４９】）に記載されている。
　
　したがって、訂正事項１は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　ゆえに、訂正事項１は特許法第１２６条第５項の規定に適合する。
　
　（３）訂正が実質上特許請求の範囲を拡張し、又は変更するものであるか否かについて
　訂正事項１は、実質上特許請求の範囲を拡張し又は変更するものではないから、特許法第１２６条第６項の規定に適合する。
　
　（４）独立特許要件
　訂正後の請求項１に記載されている事項により特定される発明について、特許出願の際独立して特許を受けることができないとする理由は見いだせない。
　したがって、訂正事項１は、特許法第１２６条第７項の規定に適合する。
　
　２　訂正事項２について
　（１）訂正の目的の適否について
　訂正前の請求項１の「複数の前記一対の通信線を集線するハブ」は、一般的に、ハブにスイッチングハブやリピータハブ等種々の定義があると共に、様々な機能を有するものであるから、本件特許発明に係る「ハブ」がどのようなものなのか必ずしも明確でなかった。
　そして、本件特許明細書には、「ハブ」に関して、「サブ制御基板１００には遊技演出を統括制御するサブＣＰＵ８１が搭載されており、このサブＣＰＵ８１には、
複数対の通信線を集線するＵＳＢハブ８２
　
　したがって、訂正事項２は、「ハブ」が「集線部」として機能することを明確にするものであるから、明瞭でない記載の釈明を目的とするものである。
　ゆえに、訂正事項２は、特許法第１２６条第１項ただし書第３号に掲げる事項を目的とするものである。
　
　（２）訂正が本件特許明細書、特許請求の範囲又は図面（以下「本件特許明細書等」という。）に記載した事項の範囲内のものであるか否かについて
　上記（１）において検討したように、本件特許発明のハブが、「複数対の通信線を集線する」機能を有することは、本件特許細書等（【００３０】）に記載されている。
　
　したがって、訂正事項２は、本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　ゆえに、訂正事項２は特許法第１２６条第５項の規定に適合する。
　
　（３）訂正が実質上特許請求の範囲を拡張し、又は変更するものであるか否かについて
　訂正事項２は、実質上特許請求の範囲を拡張し又は変更するものではないから、特許法第１２６条第６項の規定に適合する。
　
　３　訂正事項３について
　（１）訂正の目的の適否について
　訂正事項３は、訂正事項１〜２に係る訂正に伴って、特許請求の範囲の記載と発明の詳細な説明の記載との整合を図るために、本件特許明細書の【０００７】の記載を、訂正後の請求項１の記載と整合させるものである。
　したがって、訂正事項３は、特許法第１２６条第１項ただし書第３号に掲げる「明瞭でない記載の釈明」を目的とするものである。
　
　（２）訂正が本件特許明細書等に記載した事項の範囲内のものであるか否かについて 
　訂正事項３は、上記（１）において検討したように、訂正事項１〜２に係る訂正に伴うものであり、訂正事項１〜２は、上記１（２）及び２（２）で検討したとおり、本件特許明細書等の記載に基づくものである。
　そして、訂正事項１〜２は、本件特許明細書等の全ての記載を総合することにより導かれる技術的事項との関係において新たな技術的事項を導入するものではないから、訂正事項３は、本件特許明細書等に記載した事項の範囲内のものである。
　したがって、訂正事項３は特許法第１２６条第５項の規定に適合する。
　
　（３）訂正が実質上特許請求の範囲を拡張し、又は変更するものであるか否かについて
　訂正事項３は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　
第５　むすび
　以上のとおりであるから、本件訂正審判の請求に係る訂正事項１は、特許法第１２６条第１項ただし書第１号に掲げる事項を目的とするものであり、かつ、同条第５〜７項の規定に適合するものであり、本件訂正審判の請求に係る訂正事項２〜３は、特許法第１２６条第１項ただし書第３号に掲げる事項を目的とするものであり、かつ、同条第５〜６項の規定に適合するものである。
　
　よって、結論のとおり審決する。